Podtech/llm-jp-corpus-v4-ja_patent huggingface dataset:
(57)【要約】  【課題】  外観的に好ましい形態とし、咄嗟に使用しやすいようにし、かつ邪魔にならず安定的に装着できるようにした防犯ブザー入れを提供する。  【解決手段】  ランドセル模型として形成した収納本体１の底面３に、防犯ブザー作動用引張り紐を垂下させる小孔８を穿設し、背面２に伸縮バンド５を固着してランドセルの背負いベルトを挿通可能としたベルト保持部６を形成し、背面の上部にランドセルに設けてある留め部に止着可能な止着具７を装着した。【選択図】      図１
0003113953.tif 000002
【実用新案登録請求の範囲】
【請求項１】
外形をランドセル模型として形成した収納本体の底面に、防犯ブザー作動用引張り紐を垂下させる小孔を穿設し、本体の背当て面に相当する背面に伸縮バンドの左右両端部を固着して、伸縮バンド内にランドセルの背負いベルトを挿通可能としたベルト保持部を形成し、背面の上部にランドセルに設けてある留め部に止着可能な止着具を装着した構成を有する防犯ブザー入れ。
【請求項２】
ランドセルの背負いベルト上部外側に設けてある留め部に止着具を止め付けて取付位置を特定し、背負いベルトをベルト保持部に挿通して収納本体を背負いベルトに密着させるようにしてなる請求項１に記載の防犯ブザー入れ。
【考案の詳細な説明】
【技術分野】
【０００１】
本考案は、ランドセル等の背負いバッグや肩掛けバッグなどの背負いベルト乃至肩掛けベルトに好適に着脱できる防犯ブザー入れに関する。
【背景技術】
【０００２】
従来の小物入れは、ずぼんのベルト通し部を背面側に形成したもの、雌雄いずれか一方の面ファスナー乃至ホックを装着し、被装着部に装着した他方のファスナーなどに止着するように形成したものなどがある。また、収納した小物を使用する場合は、小物入れから出し入れするものであった。
一方、近時は学童が通学途中で暴漢に襲われるなど、学童の被害事件が多発しており、その対策の一つとして防犯ブザーをランドセルに吊下げて携帯することが推奨されている。ランドセルの側面部には幾つかの吊下げ金具が装着されているものがあり、防犯ブザーをこれに吊下げる考え方が示されている。
【考案の開示】
【考案が解決しようとする課題】
【０００３】
本考案は、このような実情に鑑み、防犯ブザーを外観的に好ましい形態とし、咄嗟に使用しやすいようにし、かつ邪魔にならず安定的に装着できるようにした防犯ブザー入れを提供せんとするものである。
【課題を解決するための手段】
【０００４】
上記課題を解決するために、本考案は、外形をランドセル模型として形成した収納本体の底面に、防犯ブザー作動用引張り紐を垂下させる小孔を穿設し、本体の背当て面に相当する背面に伸縮バンドの左右両端部を固着して、伸縮バンド内にランドセルの背負いベルトを挿通可能としたベルト保持部を形成し、背面の上部にランドセルに設けてある留め部に止着可能な止着具を装着して防犯ブザー入れを構成したことを特徴とするものである。
また、本考案は、上記構成を有し、ランドセルの背負いベルト上部外側に設けてある留め部に止着具を止め付けて取付位置を特定し、背負いベルトをベルト保持部に挿通して収納本体を背負いベルトに密着させるようにして防犯ブザー入れを構成したことも特徴とする。
【考案の効果】
【０００５】
収納本体内に収納した防犯ブザーは、本体の底面から垂下した引張り紐を引張るだけで作動するので、操作は簡便かつ迅速に行うことができ、収納本体は、止着具をランドセル、特にランドセルの背負いベルトに設けてある留め部に止着し、かつベルト保持部で背負いベルトに密着して保持されるので、歩行中でも背負いベルトの上部外側にぶらつくことなく安定的に固定でき、腕を胸前で折り曲げた手の位置に常時位置し、咄嗟の使用に便利であり、常時携帯していて装飾物として邪魔にならない。
【考案を実施するための最良の形態】
【０００６】
以下、本考案の一実施形態を図面とともに説明する。
図は、防犯ブザー入れを小形のランドセル模型として形成してあるが、その形態は公知のランドセル状構成或いは小物を収納可能な適宜構成としてよい。
【０００７】
ランドセル模型の図示例において、収納本体１は防犯ブザー１０を収納する大きさを有し、背面（背当て面に相当）２に底面３を有する袋体を縫着して形成し、背面上側から正面にまわる蓋体４を連設し、蓋体先端部に止め付けホック４ａを装着するなどして形成してある。
【０００８】
而して、背面２内には十分な上下巾を有するゴム帯片からなる伸縮バンド５を、ランドセルの背負いベルト１１の巾より長い左右長さをもって固着して、背負いベルトを挿通するベルト保持部６を形成し、上記伸縮バンド５の固着は、バンド両端部を裏側に折返し、この折返し面を背面２に接着するとともに、折返し部を背面２に縫着するなどして行い、さらに、伸縮バンドの上方の背面２上部には、背負いベルト１１の上部外側に設けてある留め部１２に着脱可能なフック状の止着具７を装着し、収納本体の底面３には防犯ブザー１０から垂下した引張り紐１０ａを挿通する小孔８を穿設してある。
【０００９】
上記防犯ブザー１０の機構は任意であり、警報方法も任意であるが、防犯警報が作動するためのスイッチには引張り紐１０ａが連結してあり、この紐を引張ることによって回路がＯＮとなって警報が作動するようにしてある。引張り紐１０ａは小孔８を挿通して本体から下方に垂下して使用に供される。紐先端部には抜け止めを設けるのがよい。
【００１０】
上記防犯ブザー入れの装着の手順は問わないが、例えば、ベルト保持部６に背負いベルト１１を通し、止着具７を該ベルト上部に設けてある留め部（掛け留め部）１２に係止させればよい。防犯ブザー入れは止着具で位置が特定され、ベルト保持部で背負いベルトに密着固定される。防犯ブザー１０は収納本体１内に収納し、引張り紐１０ａを小孔８に挿通しておけばよい。
なお、上記構成は一実施例であるので、各部の構成、形状は上記記載に限定されるものではなく変更可能である。
【図面の簡単な説明】
【００１１】
【図１】本考案に係る防犯ブザー入れの下方視の背面側斜視図である。
【図２】伸縮バンド取付け状態を示す部分断面図であり、（Ａ）は形成状態、（Ｂ）は背負いベルト挿通状態を示す。
【図３】図１の底面図である。
【図４】防犯ブザー入れを背負いベルトに装着した状態を示す側面図である。
【符号の説明】
【００１２】
１  収納本体、    ２  背面、    ３  底面、    ４  蓋体、    ４ａ  ホック、
５  伸縮バンド、    ６  ベルト保持部、    ７  止着具、    ８  小孔、
１０  防犯ブザー、    １０ａ  引張り紐、    １１  背負いベルト、
１２  留め部。
【図１】
0003113953.tif 000003
【図２】
0003113953.tif 000004
【図３】
0003113953.tif 000005
【図４】
0003113953.tif 000006
(57)【要約】      （修正有）【課題】水や肥料を与える量をコントロール可能な植木鉢を提供する。【解決手段】植木鉢本体１の内側に植物を植え、鉢本体１の口１１の縁の両側に、対称にそれぞれ注入槽１２が設けられている。注入槽１２はいくつかの空間１２１に分割することが可能である。注入槽１２の下部には貫通穴１３が設けられ、鉢本体１とつながっている。したがって、鉢本体１に植物を植え、土を入れた後、肥料と水は注入槽１２に入れる。注入槽１２の中の肥料と水は、貫通穴１３から徐々に鉢本体１に染み込んで、肥料と水を土中に供給し、植物はバランスよく、これらを吸収して、肥料と水の量がコントロール可能であり、バランスの悪い肥料や水の吸収によって植物が枯れるのを防ぐことが可能である。【選択図】図２Ｂ
0003113901.tif 000002
【実用新案登録請求の範囲】
【請求項１】
鉢本体の口の縁の両側に、対称にそれぞれ注入槽が設けられ、注入槽の下部には貫通穴が設けられ、鉢本体とつながり、鉢本体に植物を植え、土を入れた後、肥料と水は注入槽に入れ、注入槽の下部には貫通穴があり、鉢本体とつながっていることにより、注入槽の中の肥料と水は、貫通穴から徐々に鉢本体に染み込んで、肥料と水を土中に供給し、植物はバランスよく、これらを吸収して、肥料と水の量がコントロール可能であり、バランスの悪い肥料や水の吸収によって植物が枯れるのを防止可能であることを特徴とする植木鉢。
【請求項２】
注入槽をいくつかの空間に分割可能であることを特徴とする請求項１に記載の植木鉢。
【考案の詳細な説明】
【技術分野】
【０００１】
本考案は、植木鉢に関する。
【背景技術】
【０００２】
多くの人は、植物を育てる時、土に水をかけ肥料を与えればうまく育つと思っている。
【考案の開示】
【考案が解決しようとする課題】
【０００３】
しかしながら、一般には、水や肥料に関する知識が正確とは言えない。例えば、ただ表面を湿らせるだけで、充分な水を与えず、涼しい季節なら２、３週間は持つが、夏の暑い時なら弱って枯れてしまうことも考えられる。また、人によっては、大量の水を一度に与え、花や木が水の中に「浸かった」状態になり、この状態が長く続くと、植物の根が腐ってしまう。そうでなければ、１、２ヶ月水をやるのを忘れてしまい、土が乾燥して亀裂が入る。こんなことが繰り返されると、植物は寿命が短くなってしまう。さらに、肥料を与える際も、植物の茎のそばに置いているのをよく見かける。多くの人はこうすることで植物が速く養分を吸収すると思いがちである（図１を参照）。しかしながら、一度に大量の肥料を与えると、根はそれを一度には吸収できない。これは、我々人間が一度に大量の食物を食べられないのと同じことである。たとえ、無理に大量の食物を食べ切ったとしても、胃腸を壊すのは目に見えている。同様に、大量の肥料が土中に蓄積されると、土中の養分が過剰になって、根がその負担に耐え切れなくなり、やはり枯れてしまうことになる。
【０００４】
水にしろ、肥料にしろ、適量を与えることが植物を長持ちさせ、健康に育てる方法である。
したがって本考案の目的は、水や肥料を与える量をコントロール可能な植木鉢を提供することにある。
【課題を解決するための手段】
【０００５】
上述の目的を達成するために本考案の請求項に記載の植木鉢は、鉢の縁の両側の対称の位置に、それぞれ一つ注入槽が設けられている。注入槽の下部には貫通穴があって、鉢本体とつながっている。植木鉢に土を入れ、植物を植えた後、肥料と水をこの注入槽に注入する。こうすることで、貫通穴から、徐々に肥料と水が土中に染み込んで行き、植物にバランスよく吸収させることが可能である。適量にコントロールすることで、植物が一度に大量に肥料と水を吸収して枯れてしまうのを防ぐことが可能である。
【考案を実施するための最良の形態】
【０００６】
以下、本考案の実施例を図面に基づいて説明する。
まず、図２Ａ、図２Ｂに示すように本実施例による植木鉢は、鉢本体１の口１１の縁の両側に、対称にそれぞれ注入槽１２が設けられている。注入槽１２はいくつかの空間１２１に分割することが可能である。注入槽１２の下部には貫通穴１３が設けられ、鉢本体１とつながっている（図２Ｂを参照）。したがって、鉢本体１に植物２を植え、土３を入れた後、肥料４と水５は注入槽１２に入れる。注入槽１２の下部には貫通穴１３があり、鉢本体１とつながっているため、注入槽１２の中の肥料４と水５は、貫通穴１３から徐々に鉢本体１に染み込んで、肥料４と水５を土中に供給する（図３、図４を参照）。こうして、土３は一度に大量の肥料４や水５が溜まることがなく、植物２の根が大量の肥料４と水５の中に浸されることがない。同時に、土３は大量の肥料４と水５を吸収することがないので、植物２はバランスよく、これらを吸収して、一度に大量に吸収したり、長期間欠乏したりすることがない。肥料と水の量がコントロール可能であることにより、バランスの悪い肥料や水の吸収によって植物が枯れるのを防ぐことが可能である。
【０００７】
また、植物２の種類によって、肥料４と水５の量を増やす必要がある場合は、鉢本体１の注入槽１２を増やして（図５を参照）、植物２の種類によって調整することが可能である。
【０００８】
本考案の実施例による植木鉢は、鉢の縁の両側の対称の位置に、それぞれ注入槽が設けられている。注入槽の下部には貫通穴があって、鉢本体とつながっている。植木鉢に植物を植えた後、肥料と水をこの注入槽に注入すると、徐々に貫通穴から土中に染み込んで行き、植物に吸収させることができる。このように、水と肥料の量を適量にコントロールできるため、植物が一度に大量の水や肥料を吸収して枯れてしまうのを防ぐという特長がある。
【０００９】
また、本考案の実施例の植木鉢は、その注入槽をいくつかの空間に分割することが可能であるという特長がある。
【図面の簡単な説明】
【００１０】
【図１】従来の植木鉢を示す見取り図である。
【図２Ａ】本考案の実施例による植木鉢の構造を示す見取り図である。
【図２Ｂ】本考案の実施例による植木鉢の構造を示す断面図である。
【図３】本考案の実施例による植木鉢を示す図である。
【図４】本考案の実施例による植木鉢を示す断面図である。
【図５】本考案の別の実施例による植木鉢を示す図である。
【符号の説明】
【００１１】
１  植木鉢本体、２  植物、３  土、４  肥料、５  水、１１  鉢の口、１２  注入槽、１３  貫通穴、１２１  空間
【図１】
0003113901.tif 000003
【図２Ａ】
0003113901.tif 000004
【図２Ｂ】
0003113901.tif 000005
【図３】
0003113901.tif 000006
【図４】
0003113901.tif 000007
【図５】
0003113901.tif 000008
(57)【要約】      （修正有）【課題】ＡＶ機器の端子の接続に際して、標準的な接続を比較的簡易にできるようにする。【解決手段】ＡＶ機器の使用することが意図される音声端子及び／又は映像端子以外の音声端子及び／又は映像端子に係合する筒体と筒体の一面を塞ぐ蓋体とから構成されるＡＶ機器用配線混同防止キャップを、ＡＶ機器の通常は使用しない端子に係合させて蓋をすることで、端子を接続する人が混乱することが抑制し、端子接続をより簡単にする。【選択図】図３
0003113905.tif 000002
【実用新案登録請求の範囲】
【請求項１】
ＡＶ機器の使用することが意図される音声端子及び／又は映像端子以外の音声端子及び／又は映像端子に係合する筒体と筒体の一面を塞ぐ蓋体とから構成されるＡＶ機器用配線混同防止キャップ。
【請求項２】
前記ＡＶ機器用混同防止キャップは隣接する２以上の端子に係合するものであり、前記蓋体は隣接するもの同士が互いに連結するものである請求項１に記載のＡＶ機器用配線混同防止キャップ。
【考案の詳細な説明】
【技術分野】
【０００１】
本考案は、ＡＶ（オーディオ・ビジュアル）機器の音声入出力端子および映像入出力端子の接続時の混同を防ぐためのキャップに関する。
【背景技術】
【０００２】
テレビ、ビデオレコーダー、ＤＶＤレコーダー、オーディオ機器等のＡＶ機器は使用をする前に、音声入出力端子及び映像入出力端子を接続する必要がある。通常、ＡＶ機器の端子は同じ形状の端子が整然と並んでいてわかりにくいため、映像端子と音声の左右のそれぞれの端子は黄・赤・白と色分けされ、接続時の利便性が図られている。
【考案の開示】
【考案が解決しようとする課題】
【０００３】
しかし、近年のＡＶ機器は複数の機器同士が接続できるように幾種類もの端子が並んでおり、知識の無い人はどの端子に接続をするのかが分かり難く、誤接続のないように接続することが困難であった。一方、標準的な配線接続においては、使用される端子は決まっており、それ以外の端子は使わない場合も多い。
本考案は、このような問題に鑑みて、ＡＶ機器の端子の接続に際して標準的な接続を比較的簡易にできるようにすることを課題とする。
【課題を解決するための手段】
【０００４】
上記課題を解決するために、本考案は次のような構成を有する。
請求項１に記載の考案は、ＡＶ機器の使用することが意図される音声端子及び／又は映像端子以外の音声端子及び／又は映像端子に係合する筒体と筒体の一面を塞ぐ蓋体とから構成されるＡＶ機器用配線混同防止キャップである。  
請求項２に記載の考案は、前記ＡＶ機器用配線混同防止キャップは隣接する２以上の端子に係合するものであり、前記蓋体は隣接するもの同士が互いに連結しているものである。
【考案の効果】
【０００５】
請求項１に記載の考案は、使用することが意図される音声端子、映像端子以外の端子に本考案に係るＡＶ機器用配線混同防止キャップを係合させることで、通常は使用しない端子に蓋がされるので、端子を接続する人が混乱することが抑制され、より簡易な端子接続が可能となる。
請求項２に記載の考案は、隣接する２以上の端子に係合する前記ＡＶ機器用配線混同防止キャップの蓋体を隣接するもの同士を互いに連結するようにすることで、キャップがされた端子を使用する場合に本考案に係るＡＶ機器用配線混同防止キャップを取り外しても、一体に取り外されるので一部の端子用のキャップのみがなくなる恐れがなくなり、また、再び端子に係合させる際もより少ない操作で係合させることができる。
【考案を実施するための最良の形態】
【０００６】
以下、本考案の実施形態について、図面を参照しながら説明する。
図１に実施形態に係るＡＶ機器用配線混同防止キャップＸ１の斜視図を示し、図２に実施形態に係るＡＶ機器用配線混同防止キャップＸ２の斜視図を示す。ＡＶ機器用配線混同防止キャップＸ１、Ｘ２とも合成樹脂により一体に形成される。ＡＶ機器用配線混同防止キャップＸ１は、ＲＣＡ端子の外周に係合する大きさを有する筒体１１と、筒体１１の一方の開口を塞ぐ円盤状の蓋体２１とから構成される。このＡＶ機器用配線混同防止キャップＸ１は一つの端子を塞ぐものである。
一方、ＡＶ機器用配線混同防止キャップＸ２は３つの端子を塞ぐものであり、所定のＡＶ機器のＲＣＡ端子の配置に合致するように配列される。ＡＶ機器用配線混同防止キャップＸ２はＡＶ機器用配線混同防止キャップＸ１の筒体１１と同じ形状の筒体１２、１２、１２と、各筒体１２、１２、１２の一方の開口を塞ぎ一体に連結された蓋体２２とから構成される。
【０００７】
次に、以上のような構成を有するＡＶ機器用配線混同防止キャップＸ１、Ｘ２の使用方法について説明する。図３（ａ）にこれらのＡＶ機器用配線混同防止キャップＸ１、Ｘ２を使用するＡＶ機器の背面パネルＢを示す。なお、ＡＶ機器用配線混同防止キャップＸ２はこの背面パネルＢの所定の端子に合わせて設計されている。図３（ａ）に示すように背面パネルＢには、複数の端子が表出しており、知識の無い者にとってはどの端子をどこに接続すればよいかよくわからない。そこで、出荷時に通常は使用しない端子に、図３（ｂ）に示すようにＡＶ機器用配線混同防止キャップＸ１、Ｘ２を被せて蓋をする。この状態であれば、接続できるＲＣＡ端子は３つだけになり、あとは、端子の色分けに合わせて接続すれば、誤接続をかなりの確率で防止することができる。なお、ＡＶ機器用配線混同防止キャップＸ１、Ｘ２は端子に被せているだけなので、ＡＶ機器用配線混同防止キャップＸ１、Ｘ２を被せた端子を使用する場合は、簡単に取り外して端子を表出させて使用することができる。
なお、ここでは、ＡＶ機器用配線混同防止キャップはＲＣＡ端子用のもののみを示しているが、セパレート端子やＤ映像端子などに係合するもの等、種々の音声、映像端子に適用できるものを製作できることはいうまでもない。
【図面の簡単な説明】
【０００８】
【図１】実施形態に係るＡＶ機器用配線混同防止キャップＸ１の斜視図である。
【図２】実施形態に係るＡＶ機器用配線混同防止キャップＸ２の斜視図である。
【図３】（ａ）は、所定のＡＶ機器の背面パネルを示す正面図であり、（ｂ）はこの背面パネルにＡＶ機器用配線混同防止キャップＸ1、Ｘ2を装着した状態を示す正面図である。
【符号の説明】
【０００９】
Ｘ１、Ｘ２  ＡＶ機器用配線混同防止キャップ
１１、１２  筒体
２１、２２  蓋体
【図１】
0003113905.tif 000003
【図２】
0003113905.tif 000004
【図３】
0003113905.tif 000005
(57)【要約】      （修正有）【課題】ネットの特徴である隙間によって引き起こされていたインクの漏れがなくなり ネットに浮世絵などの絵画やステンドグラスのような模様を印刷することが簡単にできるようにし、更に型取りした切断部にミシン目をほどこした台紙を本考案の台紙付きネットに用いることで 印刷された後のネットを使用目的に合わせて分割したり 網戸に張り替えすることなどが簡単にできるようにする。【解決手段】ネットに模様を印刷する目的で 台紙の表面に容易に剥離が可能な接着剤でネットを貼り付けた。【選択図】図１
0003113907.tif 000002
【実用新案登録請求の範囲】
【請求項１】
印刷を実行する目的で 容易に剥離可能な接着法を用いて台紙に貼り付けたことを特徴とする防虫網などのネット
【請求項２】
型取りした切断部にミシン目をほどこして 当該各部を随意に切り離せるようにした台紙を用いた 請求項１記載のネット
【考案の詳細な説明】
【技術分野】
【０００１】
本考案は防虫網などのネット類（以下ネット）の改良に関する。
【背景技術】
【０００２】
ネットに模様をほどこすには 塩化ビニールなどを原料として 網目と模様とを一体形として形成してネットにする方法と 複数の色違いの繊維を使って編みあげる方法とがある。
【考案の開示】
【考案が解決しようとする課題】
【０００３】
ネットに模様をほどこすには 塩化ビニールなどを原料として 網目と模様とを一体形として形成してネットにする方法と 複数の色違いの繊維を使って編み上げる方法とがある。
しかしネットに模様をほどこすのに塩化ビニールなどを原料として 網目と模様とを一体形として形成する方法では、ネットの色は単色の製品が多く しかも模様の部分に網目と異なって隙間がないのが一般的で 模様の種類も小さな菱形や蝶々などが繰り返し並べられる構図で変化に乏しかった。
また複数の色違いの繊維を使ってネットを編み上げて模様をほどこす方法では 手間と時間が多くかかり 従ってコストが高くなると言う欠点があつた。
【課題を解決するための手段】
【０００４】
本考案は ネットに浮世絵などの絵画やステンドグラスのような模様を印刷する目的で 台紙の表面に 容易に剥離が可能な接着剤を使うなどの接着法を用いてネットを貼りつけた。（以下台紙付きネット）
更に型取りした切断部にミシン目をほどこし 当該各部を随意に切り離せるようにした台紙を 本考案の台紙付きネットに使用する事で印刷後のネットの利便性を向上させた。
【考案の効果】
【０００５】
本考案の台紙付きネットは ネットの下に紙がある構造上これまでスクリーン印刷やインクジエットなどの印刷をする場合に ネットの特徴である隙間によって引き起こされていたインクの漏れがなくなり ネットに浮世絵などの絵画やステンドグラスのような模様を印刷することが簡単にできるようになった。更に型取りした切断部にミシン目をほどこした台紙を本考案の台紙付きネットに用いることで 印刷された後のネットを使用目的に合わせて分割したり 網戸に張り替えすることなどが簡単にできるようになった。
【考案を実施するための最良の形態】
【０００６】
型取りした切断部にミシン目をほどこし 当該各部を随意に切り離せるようにした台紙の表面に 剥離が容易な接着剤で貼り付けたネット。
【産業上の利用可能性】
【０００７】
本考案の 台紙付きネットを使用すると防虫網などの印刷が簡単にできるので この防虫網を用いた 網戸の美的価値が向上する。またレース編みのカーテンやテーブルクロスなどのネット類も複雑な模様が簡単につけられるので 網戸やカーテンなど住宅産業での利用が期待できる。
【図面の簡単な説明】
【０００８】
【図１】台紙付きネットの平面図
【図２】台紙付きネット隅部の拡大図
【符号の説明】
【０００９】
（１）台紙付きネットの隅部
（２）ミシン目
（３）ネット本体
（４）台紙
【図１】
0003113907.tif 000003
【図２】
0003113907.tif 000004
(57)【要約】【課題】草刈作業を行う際に、回転刃が障害物及び人に当たることを防止することができる草刈機を提供すること。【解決手段】支持柄１の一端に原動機２によって回転駆動される回転刃３を設けた草刈機において、回転刃３の少なくとも前半分をガードするガード部材５を回転刃３の外方に設けた。【選択図】図１
0003113947.tif 000002
【実用新案登録請求の範囲】
【請求項１】
支持柄の一端に原動機又は電動機によって回転駆動される回転刃を設けた草刈機において、回転刃の少なくとも前半分をガードするガード部材を回転刃の外方に設けたことを特徴とする草刈機。
【考案の詳細な説明】
【技術分野】
【０００１】
本考案は、雑草等の草を刈るための草刈機に関する。
【背景技術】
【０００２】
従来、草刈機としては、支持柄の一端に原動機又は電動機によって回転駆動される回転刃を設けたものが多用されている。かかる草刈機においては、支持柄を操作して回転刃を反時計回りに円弧を描くように移動させることによって草刈を行う。
【０００３】
ところが、回転刃がむき出しの場合、例えばコンクリートや岩や鉄製品のそばに伸びた草を刈ろうとすると、回転刃がコンクリート等に当たって破損し、それが人に当たるおそれがある。また、ネットをつたい伸びた草を刈ろうとすると回転刃をネットに近付けすぎてネットを切ってしまうことがある。ネットを切ってしまうと、回転刃にネットが巻き込まれ故障の原因となる。
【０００４】
このように、回転刃がむき出しの場合には、草刈の作業時に回転刃が草の近くにある障害物に当たって様々な障害を引き起こしていた。また、作業者は、回転刃が障害物に当たらないように注意しながら草刈作業を行う必要があり、作業性低下の要因となっていた。
【０００５】
これに対して、特許文献１には、回転刃の外方にガード部材を設け、回転刃が障害物に当たって破損するのを防止するようにした草刈機が開示されている。ところが、特許文献１には、ガード部材を回転刃の左側にのみ設けたものしか開示されていない。これは、上述のとおり、草刈作業時には通常、回転刃を反時計回りに円弧を描くように移動させることから、障害物に当たる可能性の高い左側にのみガード部材を設けたものと考えられる。
【０００６】
しかし、この特許文献１の草刈機において、ガード部材が設けられた左側以外の部分では回転刃がむき出しの状態であり、回転刃のガードが不十分である。例えば、作業者は時計回りに回転刃を移動させる場合もあり、その場合、回転刃が障害物に当たるおそれがある。また、前方側にむき出しの部分が残されていることから、人に当たるおそれもあり、安全面からも問題がある。
【特許文献１】実開平５−３１５２５号公報
【考案の開示】
【考案が解決しようとする課題】
【０００７】
本考案が解決しようとする課題は、草刈作業を行う際に、回転刃が障害物及び人に当たることを防止することができる草刈機を提供することにある。
【課題を解決するための手段】
【０００８】
上記課題を解決するため、本考案は、支持柄の一端に原動機又は電動機によって回転駆動される回転刃を設けた草刈機において、回転刃の少なくとも前半分をガードするガード部材を回転刃の外方に設けたことを特徴とするものである。
【考案の効果】
【０００９】
本考案によれば、回転刃の少なくとも前半分をガード部材でガードするようにしたので、回転刃が障害物や人に当たることが実質的になくなり、作業性及び安全性が格段に向上する。
【考案を実施するための最良の形態】
【００１０】
以下、図面に示す実施例に基づき本考案の実施の形態を説明する。
【００１１】
図１は、本考案に係る草刈機の一実施例を示す全体斜視図である。同図において、パイプ状の支持柄１の基端側には混合油で駆動する原動機２が設けられ、先端側には原動機２によって回転駆動される回転刃３が設けられている。また、支持柄１の中央部よりやや原動機２側の位置には作業者が手で持って草刈作業を行うためのハンドル４が設けられている。なお、図面には現れていないが、支持柄１に原動機２の回転を回転刃３に伝達するための回転軸が内挿されている。
【００１２】
図２は、図１に示す草刈機の回転刃部分を示す拡大斜視図である。同図に示すように、回転刃３の前方外方には回転刃３の前半分をガードするガード部材５が設けられている。このガード部材５は、支持柄１の先端側に取付部材６を介して着脱可能に取り付けられている。ガード部材５としては、ステンレス等の金属棒を円弧状に加工したものを使用できる。
【００１３】
図３は、本発明に係る草刈機の他の実施例を示す要部の拡大斜視図である。同図の実施例では、ガード部材５を回転刃３の前半分に加え、後ろ側にも回り込むように設けている。このガード部材５も支持柄１の先端側に取付部材６を介して着脱可能に取り付けられている。
【００１４】
図４は、本発明に係る草刈機のさらに他の実施例を示す要部の拡大斜視図である。同図の実施例は図１の実施例の変形例で、ガード部材５を回転刃３の後半分側にも設け、回転刃３の全周をガード部材５でガードするようにしたものである。
【図面の簡単な説明】
【００１５】
【図１】本考案に係る草刈機の一実施例を示す全体斜視図である。
【図２】図１に示す草刈機の回転刃部分を示す拡大斜視図である。
【図３】本発明に係る草刈機の他の実施例を示す要部の拡大斜視図である。
【図４】本発明に係る草刈機のさらに他の実施例を示す要部の拡大斜視図である。
【符号の説明】
【００１６】
１  支持柄
２  原動機
３  回転刃
４  ハンドル
５  ガード部材
６  取付部材
【図１】
0003113947.tif 000003
【図２】
0003113947.tif 000004
【図３】
0003113947.tif 000005
【図４】
0003113947.tif 000006
(57)【要約】【課題】  頭部を物の落下や火から防ぐだけでなく、必要な物を収容、運搬できる防災ずきん。【解決手段】  ポケットを複数個有し、その内側はポケット内収容物が判別できるものとし、ポケットを封鎖でき、折り畳んで、一辺の少なくとも一部を結合できることを特徴とした防災ずきん。【選択図】      図４
0003113942.tif 000002
【実用新案登録請求の範囲】
【請求項１】
ポケットを複数個有し、その内側はポケット内収容物が判別できるものとし、ポケットを封鎖でき、折り畳んで一辺の少なくとも一部を結合できることを特徴とした防災ずきん。
【考案の詳細な説明】
【技術分野】
【０００１】
本考案は、災害時に使用する防災ずきんに関するものである。
【背景技術】
【０００２】
従来は、綿入りのずきんだけで、せいぜい水に濡らして被り炎から頭部を守るぐらいであった。
【０００３】
この改善策として、ポケットまたは袋等の収容物の中身が判別出来る、必需品その他が入る、封鎖出来る幾つかのポケットを付ける。防災ずきんにした時、表面を防災加工してあり、口元には防煙対策が施してあり、一辺のすくなくとも一部を結合できる防災ずきんを提案する。
【考案の開示】
【考案が解決しようとする課題】
【０００４】
頭部を物の落下や、煙や炎から身を守るだけでなく、必要なものを収容、運搬できる防炎ずきんを提案する。
【課題を解決するための手段】
【０００５】
１、防災加工の布地と普通の布地を縫い合わせ、一枚の布にし、更に中身が判別できる布と縫い合わせ、袋とする。ファスナー等で中身を封鎖できるようにする。
２、防災ずきん全体の大きな袋には、非常用品を入れた時、均等の厚さに整えると、防災ずきんの役割をする。
３、ずきんは四つに折畳み、必要なところにはポケットをつけるため、医薬品等便利な子物入になる。ずきんの表地が防災加工のため炎から身を守る。
４、頭巾の口元にはポケットを付け、濡れたタオルをポケットに入れて防煙効果がある。
請求項１記載のずきんは、非常用品入れ防災ずきんである。
【考案の効果】
【０００６】
１、表地は防災加工のため燃えにくい。
２、炎から身を守る。
３、口に当る所がポケットになっているため、濡れたタオル等を入れれば防煙効果がある。
４、ポケット等に、着替え、タオル、薬等をたくさん収納できる。
５、裏地が中身が判別できる布でできているため、内容物が確認しやすい。
【考案を実施するための最良の形態】
【０００７】
表地に、防災加工の布と普通の布と縫い合わせ、裏地にポケット等を複数個有し、その内側はポケット等内の収容物が判別できるものとし、ポケットを封鎖でき、折り畳んで一辺のすくなくとも一部を結合できることを特徴とした防災ずきん。 
【図面の簡単な説明】
【０００８】
【図１】袋状になっている本考案の全体図。
【図２】本考案の一実施例を示す防災ずきんを二つ折りにした平面図である。
【図３】本考案の一実施例を示す防災ずきんを四つ折りにした平面図である。
【図４】本考案の一実施例を示す防災ずきんの斜視図である。
【符号の説明】
【０００９】
１    袋状になっている本考案の全体図
２    二つ折りの左側のあわせ目（面ファスナー等結合できるもの）
３    二つ折りの右側のあわせ目（面ファスナー等結合できるもの）
４    防災ずきんのファスナー等結合できるもの
５    薬品などの小物入れ
６    ファスナー等結合できるもの
７    ファスナー等結合できるもの
８    二つ折の折目
９    四つ折の折目
１０  口に当る部分のマスク（ポケットが取り付けてある）
１１  防災ずきんの顎紐
１２  防災ずきんのマスクの面ファスナー等結合できるもの（点線で表し防災ずきんの裏側に取り付けてある）
１３  防災ずきんの口元のポケット
【図１】
0003113942.tif 000003
【図２】
0003113942.tif 000004
【図３】
0003113942.tif 000005
【図４】
0003113942.tif 000006
(57)【要約】【課題】高齢化社会を迎え、脳梗塞や身体障害者等で片手が不自由な人が多くなってきている。この人たちが体などを洗ったあと、その濡れたタオルなどを絞る為に介護人に頼るなどそれぞれのやり方はあるのだろうが、濡れた布などを不自由な片手で思いどおりの硬さに絞るという行為は大変やりにくい行為である。安価な物で片手でも楽に絞れる用具が求められている。本考案は動力を用いず人力を使用するため、濡れた布を思いどおりの硬さに絞ることもでき、高齢者などの福祉用具やリハビリ用具としても役立つものである。【解決手段】本考案は、本体部分を壁面に取り付け、タオルなどを濡れた布を掛ける部分１の部に掛けてその布の両端を健全な方の片手で握ったまま、濡れた布を掛ける部分１の軸の周囲を回し、濡れた布にねじれた状況を作り出させる。絞り加減は布の回転させる数を変える事や、下向きに引っ張るなど荷重を掛ける事により絞り強さの調整ができ、片手でも簡単に思いどおりの硬さに絞る事ができるような機能を持った用具ができた。【選択図】  図１
0003113991.tif 000002
【実用新案登録請求の範囲】
【請求項１】
図１の本体部分２に、濡れた布を掛ける部分１が回転できるような構造を備え、濡れた布を掛ける部分１の部分に濡れた布を掛けて、健全な手の方で布の端を握ったまま、濡れた布を掛ける部分１の軸の周囲を回す事によって、濡れた布を絞る事ができるようにした用具。
【考案の詳細な説明】
【技術分野】
【０００１】本考案は、濡れたタオルなどを絞る事ができる様にした、絞り用具に関する分野に属するものである。
【背景技術】
【０００２】近年高齢化が進み、脳梗塞や身体障害者等で片手が不自由な人が多くなってきている。この人たちが体などを洗ったあと、その濡れたタオルなどを絞る為に介護人に頼るなどそれぞれのやり方はあるのだろうが、濡れた布などを不自由な片手で思いどおりの硬さに絞るという行為は大変やりにくい行為である。電動力を使ったものなどは、装置が大きく電源管理や回転部に巻き込まれる恐れ、又、思いどおりの硬さに絞りにくいなど取り扱いが難点である。本考案は動力を用いず人力を使用するため、濡れた布を思いどおりの硬さに絞ることもでき、絞りにくい行為の不自由さから発生するストレスも解消できるのである。高齢者などの福祉用具やリハビリ用具としても役立つものである。
【考案の開示】
【考案が解決しようとする課題】
【０００３】片手の不自由な人は、濡れた布を絞ろうと思っても思いどおりに絞れない。その為には簡単に絞れる機能を持った用具の開発をする必要がある。
【課題を解決するための手段】
【０００４】本考案は、本体部分２を壁面に取り付け、タオルなど濡れた布を濡れた布を掛ける部分１の部に掛けてその布の両端を健全な方の片手で握ったまま、濡れた布を掛ける部分１の軸の周囲を回し、濡れた布にねじれた状況を作り出させる。絞り加減は軸の周囲の回転させる数を変える事で行い、そのことが両手で絞るのと同じ状態になり、片手でも簡単に思いどおりの硬さに絞る事ができるような用具図１を造る。本体を壁面に取り付ける方法には、本体部分２に吸盤を付ける、両面接着テープなどで取り付ける、又は、壁面に埋め込むかの方法をとる。
【考案の効果】
【０００５】濡れた布を片手で簡単に思いどおりの硬さに絞れ、又絞る動作がリハビリの道具としても使えストレスも解消できる。
【考案を実施するための最良の形態】
【０００６】壁面に取り付け出来るように、板に吸盤や接着剤を付け、その板の部分に濡れた布を掛ける部分１の様な形状の回転できる軸を取り付ける。
【実施例】
【０００７】  （イ）  図１のように、軸を固定する本体部分２、濡れた布を掛ける部分１、壁面固定部３で構成
（ロ）  濡れた布を掛ける部分１の形状は、凹部型や直線型
本用具を使用するときは、まず、本体を浴室などの壁面に固定する。それには、壁面が平滑な場合は吸盤を取り付けたもので行い、粗い面は両面接着テープを貼ったもので固定した。絞り用具の、濡れた布を掛ける部分１の凹部分に濡れたタオルを掛けてタオルの端を健全な方の片手で握ったまま、軸の周囲を大きく回転させる事で絞り状態を造り出す。タオルを回転させる数や、下向きに引っ張るなど荷重を掛ける事により絞り強さの調整ができ、片手で簡単に思いどおりの固さに絞る事ができた。
【産業上の利用可能性】
【０００８】本考案は、新築住宅では設計段階から浴槽など必要な所に設置できる。【０００９】大衆浴場などでは、身障者専用洗い場などに設置する事などで福祉に貢献できる。【０００１０】小型軽量化させ、携帯化させることで旅行などに持っていける。
【図面の簡単な説明】
【００１１】
【図１】    用具の１を凹化した全体斜視図である。
【図２】    用具の１を直線化した全体斜視図である。
【図３】    図１の裏面斜視図である。
【図４】    図１の分解側面図である。
【図５】    濡れたタオルなど布を掛ける図である。
【図６】    布の両端をしっかり握る図である。
【図７】    軸の周囲を回す図である。
【図８】    軸の周囲を回す図である。
【図９】    軸の周囲を回す図である。
【符号の説明】
【００１２】      １    濡れた布を掛ける部分。
２    １の回転軸を保持する本体部分。
３    壁面に固定する部分。
４    割りピン
５    平ワッシャー
６    先端ゴムカバー
【図１】
0003113991.tif 000003
【図２】
0003113991.tif 000004
【図３】
0003113991.tif 000005
【図４】
0003113991.tif 000006
【図５】
0003113991.tif 000007
【図６】
0003113991.tif 000008
【図７】
0003113991.tif 000009
【図８】
0003113991.tif 000010
【図９】
0003113991.tif 000011
【手続補正書】
【提出日】平成17年2月25日(2005.2.25)
【手続補正１】
【補正対象書類名】実用新案登録請求の範囲
【補正対象項目名】請求項１
【補正方法】変更
【補正の内容】
【請求項１】
鉄棒の端の一部を濡れたタオルなどが引っ掛けられる凹型にして、当該凹型の反対側鉄棒を回転軸として保持できる構造を備えた、濡れた布を片手で絞れる用具。
(57)【要約】      （修正有）【課題】【解決手段】１．トランクスパンツにすててこの膝部分までのクレープ生地をつなぐことで２枚の下着を１枚とする。２．めりやす生地のブリーフパンツにすててこのクレープ生地をつなぐことで２枚の下着を１枚とする。３．厚手のメリヤス生地のパンツにパンツよりも薄手のメリヤス生地を膝部分までつなぐことで２枚の下着を１枚とする。４．厚手のメリヤス生地のパンツにパンツより薄手のメリヤス生地を足首部までつなぐことで２枚の下着を１枚とする。【効果】下着を１枚にすることで排尿・排便時に手間がかからず省力化でき、しかも上ズボンと下着１枚の組み合わせのため動き易く、ゴワゴワ感とか股間の蒸れ感が減少する。【選択図】図１
0003113992.tif 000002
【実用新案登録請求の範囲】
【請求項１】
下肢に着用する男子用下着について、臀部・腰の部分の生地と膝部分・足首部分までとの生地が違うもの又は厚さの違うものについては実用新案として請求する。
【考案の詳細な説明】
【考案が解決しようとする課題】
１．下肢に下着を２枚着ることで、排尿・排便時に手間がかかる。
２．夏にすててことパンツをはくと股間部が蒸れて不快である。
３．冬にパッチとパンツをはくと股間部が蒸れるのとゴワゴワ感で不快である。
４．下着の枚数を少なくすることで障害者等の衣服の脱着が省力化でき、かつ排泄に失敗した時の後始末も簡便にすますことができる。
【課題を解決するための手段】
１．トランクスパンツにすててこの膝部分までのクレープ生地をつなぐことで２枚の下着を１枚とする。
２．めりやす生地のブリーフパンツにすててこのクレープ生地をつなぐことで２枚の下着を１まいとする。
３．厚手のメリヤス生地のパンツにパンツよりも薄手のメリヤス生地を膝部分までつなぐことで２枚の下着を１枚とする。
４．厚手のメリヤス生地のパンツにパンツより薄手のメリヤス生地を足首部までつなぐことで２枚の下着を１枚とする。
【考案の効果】
下着を１枚にすることで排尿・排便時に手間がかからず省力化でき、しかも上ズボンと下着１枚の組み合わせのため動き易く、ゴワゴワ感とか股間の蒸れ感が減少する。
【図面の簡単な説明】
【図１】トランクスパンツにすててこのクレープ生地の膝部分までをつないだ正面図・・・トランクスすててこクレープタイプ
【図２】メリヤス生地のブリーフパンツにすててこのクレープ生地の膝部分までをつないだ正面図・・・ブリーフすててこクレープタイプ
【図３】厚手のメリヤス生地のブリーフパンツにブリーフパンツよりも薄手のメリヤス生地を膝部分までつないだ正面図・・・ブリーフすててこメリヤスタイプ
【図４】厚手のメリヤス生地のブリーフパンツにブリーフパンツよりも薄手のメリヤス生地を足首部までつないだ正面図・・・ブリーフパッチメリヤスタイプ
【図１】
0003113992.tif 000003
【図２】
0003113992.tif 000004
【図３】
0003113992.tif 000005
【図４】
0003113992.tif 000006
【手続補正書】
【提出日】平成17年3月11日(2005.3.11)
【手続補正１】
【補正対象書類名】実用新案登録請求の範囲
【補正対象項目名】全文
【補正方法】変更
【補正の内容】
【実用新案登録請求の範囲】
【請求項１】
下肢に着用する男子用下着について、臀部・腰の部分の生地と膝部分・足首部分までとの生地が違うもの又は厚さの違うものについては、すててこ・パッチ・パンツ一体型下着とする。
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
下肢に着用する男子用下着において、臀部・腰の部分の生地と膝部分・足首部分までとの生地が違うもの又は厚さの違うものを特徴とする、すててこ・パッチ・パンツ一体型下着。
(57)【要約】      （修正有）【課題】電源を用いず発光し、使いやすく頑丈で、かつ美しいネームプレートを提供する。【解決手段】発光する素材を含んだ樹脂などで、基底材を象眼する。【選択図】図１
0003113997.tif 000002
【実用新案登録請求の範囲】
【請求項１】
夜光、蓄光等の発光する素材を用いて、表札、看板、店名、会社名、図形等表現したい対象を象眼する。
【考案の詳細な説明】
【技術分野】
【０００１】表札、看板、店名、会社名、図形等を作成に関する分野。
【背景技術】
【０００２】標準的な印刷を用いたネームプレートなど
【考案の開示】
【考案が解決しようとする課題】
【０００３】消灯後にネーム、図形等が判別できなくなる。夜間に電源を用いないで明るい表札、看板、店名、会社名、図形等ができない。新たに美しい表現方法を作りたい。
【課題を解決するための手段】
【０００４】蓄光、夜光などの発光する素材を含んだ耐光性、耐候性などに優れた樹脂などで、彫るなどした基底材を象眼する。
【考案の効果】
【０００５】消灯後もネームが判別できる。電源を用いないため、手軽にいろいろな場所に使用できる。基底となる材料を樹脂などで象眼するため、既存に無い美しい表現ができる。使う樹脂などにより、高い耐光性、耐候性を実現できる。
【考案を実施するための最良の形態】
【０００６】基底材である石、硝子、金属、木、プラスチックなどを型押し、または彫ったものを準備し、これに耐光性、耐候性に優れた蓄光、夜光材を含んだ樹脂などを注入し、よく硬化させた後、基底材の表面と平滑に仕上げる。必要に応じて艶上げを行う。
【実施例】
【０００７】夜間に発光する表札や、事務所名、会社名、ロゴマークなどの図形など。
【産業上の利用可能性】
【０００８】石、硝子、金属、木、プラスチック等々いろいろな基底材を象眼するため、様々な場所で様々な製品に応用できる
【図面の簡単な説明】
【０００９】
【図１】基底材に象眼したものの正面図。
【図２】基底材に象眼したものの断面図。
【符号の説明】
【００１０】Ａは基底材。
Ｂは象眼する素材をしめす。
【図１】
0003113997.tif 000003
【図２】
0003113997.tif 000004
【手続補正書】
【提出日】平成17年5月24日(2005.5.24)
【手続補正１】
【補正対象書類名】実用新案登録請求の範囲
【補正対象項目名】全文
【補正方法】変更
【補正の内容】
【実用新案登録請求の範囲】
【請求項１】
夜光、蓄光等の発光する素材を用いて表現したい対象を型押し、彫るなどした基底材に象眼した、電源を用いないでの発光表現を特徴とする表面の平滑な表示用ネームプレート。
【手続補正２】
【補正対象書類名】明細書
【補正対象項目名】０００１
【補正方法】変更
【補正の内容】
【０００１】名称、店名、会社名、図形、階数表示等を基材に加工して看板、表札などのネームプレートを作成する分野。
【手続補正３】
【補正対象書類名】明細書
【補正対象項目名】０００２
【補正方法】変更
【補正の内容】
【０００２】標準的な印刷を用いてネームプレートをこさえる技術や、優れた夜光、蓄光塗料を作る技術、金属や石、プラスチック等樹脂の類や硝子などを加工する技術。
【手続補正４】
【補正対象書類名】明細書
【補正対象項目名】０００３
【補正方法】変更
【補正の内容】
【０００３】従来のネームプレートは消灯後にネーム、図形等が判別できなくなる。夜間に電源を用いないで明るい名称、店名、会社名、図形、階数表示等を表示し、かつ美しさに優れた表札やネームプレートができない。
【手続補正５】
【補正対象書類名】明細書
【補正対象項目名】０００５
【補正方法】変更
【補正の内容】
【０００５】消灯後もネームや図形数字等が判別できる。電源を用いないため、手軽にいろいろな場所に使用できる。基底となる材料を樹脂などで象眼するため、既存に無い美しさや高級感を表現したネームプレートに仕上がる。使う樹脂などにより、高い耐光性、耐候性を実現できる。通常の印刷と違い埋め込むため磨耗に強い。
【手続補正６】
【補正対象書類名】明細書
【補正対象項目名】０００７
【補正方法】変更
【補正の内容】
【０００７】夜間に発光する、表札や、階数、事務所名、会社名、ロゴマークなどの図形等を表示するネームプレート。
(57)【要約】      （修正有）【課題】光触媒（可視光型）、空気触媒、活性炭、銀メタル、鉄イオンミネラルの５つの素材を複合させ、１回の装置で長期間持続して分解、除去する環境商品を提供する。【解決手段】光触媒（可視光型酸化チタン）、空気触媒（チタニア系化合物と鉄イオンミネラル）、活性炭、銀メタルを素材に表裏のプラスチック樹脂（半透明）部分並びに合成ゴム部分に多数の光孔、空気孔を大胆に開けることにより、素材の触媒、分解、除去機能の極大化を計り、自動車内部の有害物質を分解・除去する。【選択図】図１
0003113998.tif 000002
【実用新案登録請求の範囲】
【請求項１】
本装置は光触媒（可視光型）、空気触媒、活性炭、銀メタル、鉄イオンミネラルの５つの素材を複合させた自動車用消臭・抗菌装置であり、１回の装置で長期間持続して分解、除去する従来にない固有の環境商品である。
【請求項２】
５つの素材を効果的に機能させる為に、透明・半透明合成樹脂の表面、裏面、側面に穴（孔）を空けることによって「光」と「空気」の対流を促進させる工夫をした。装着方法も極簡単にフロントガラス、リアガラス、天井部分のサンルーフ、三角ガラス窓の好みの場所に付ける。
【考案の詳細な説明】
【技術分野】
【０００１】  本装置は自動車内部のタバコ・エアコン臭・人体に悪影響となる雑菌を分解、除去する為に考案した装置で、根幹となる素材は「光触媒に可視光型酸化チタン」「空気触媒＝チタニア系化合物と鉄イオンミネラル」活性炭、銀メタルで構成した従来に無い複合化による相乗効果のあるものである。この素材は２４時間有害物質を分解し続け、しかも超ロングランにその効果を持続させることが可能な商品である。装置方法、場所としてはフロントガラス、リアガラス、天井部分のサンルーフ、側面三角窓などで運転や乗用車にとって支障がなく、室内装飾品としても可能な場所に装置する。
【背景技術】
【０００２】  従来市販の消臭・抗菌・芳香剤はその大半が臭いを中和するタイプやマスキングしてしまうものである。原因物質を分解するものでないため、一時的な効果しかありません。今日の社会的課題であるアトピー性アレルギー・新生ウイルスなど健康面に最大限考慮し、且つ適合する商材の開発が急がれる状況下で考案したものである。
【考案の開示】
【考案が解決しようとする課題】
【０００３】  現在ある液状又は固形状の消臭・芳香剤は人それぞれ好き嫌いがあり、場合によっては身体に悪影響を及ぼす商品もあるが、本装置は人にも環境にも優しく安心して使用でき、しかも無臭である。赤ちゃん、子供、ご老人にも快適な自動車内部環境を醸成することができる。又、装着は車内のガラス面などにコンパクトでスタイリッシュに吸盤を添付するだけで取り外しも極簡単に出来るものである。
【課題を解決するための手段】
【０００４】  本装置の本体の表裏のプラスチック樹脂（半透明）部分並びに回りの合成ゴム部分に多数の光孔、空気孔を開けることにより、素材の触媒、分解、除去機能の極大化を計ったことが考案の特徴である。
【考案の効果】
【０００５】  上記の通り、従来に全く無い商品であり、光触媒、空気触媒などの複合化、相乗効果によって、自家用車、社用車、公用車、バス、トラック、客船などに装置するという企業、個人、自動車用品販売業者などから既に購入希望が多くあり、広く社会に受け入れられる状況にあり、他との差別化商品となる確信をもっております。
【考案を実施するための最良の形態】
【０００６】  本装置の実施は、自動車内で発生する悪臭や有害物質を分解、除去するものであり、「自然光」が受けやすいフロントガラス、リアガラス、側面三角窓に吸着させるのが最良である。
【図面の簡単な説明】
【０００７】
【図１】本考案の平面図（表）である。
【図２】本考案の平面図（裏）である。
【図３】本考案の分解図である。
【図４】本考案の立体図である。
【符号の説明】
【０００８】Ａ  ウレタン樹脂
Ｂ  合成ゴム
Ｃ  ポリエチレン樹脂
Ｄ  ポリカーボネートｔ
Ｅ  吸盤
【図１】
0003113998.tif 000003
【図２】
0003113998.tif 000004
【図３】
0003113998.tif 000005
【図４】
0003113998.tif 000006
【手続補正書】
【提出日】平成17年5月30日(2005.5.30)
【手続補正１】
【補正対象書類名】実用新案登録請求の範囲
【補正対象項目名】全文
【補正方法】変更
【補正の内容】
【実用新案登録請求の範囲】
【請求項１】
活性炭と銀メタルを組み込み、可視光型の光触媒液をコーティングしたウレタン樹脂部分と銀イオンミネラルを含ませ、空気触媒液をコーティングしたポリエチレン樹脂部分を複合させたことを特徴とする自動車用消臭・抗菌装置。
【請求項２】
前記を特徴とする複合体を収納する容器に空気を通す穴を開け、自動車室内に取り付けるための取り付け手段である吸盤を設けた自動車用消臭・抗菌装置。